(57)【特許請求の範囲】
【請求項１】
ＯＴＵフレームを複数のレーン信号に分配する通信装置と双方向の通信をするための受信装置と送信装置とを備える光伝送装置であって、
前記受信装置は、
前記通信装置から複数のレーン各々を介して伝送されるレーン信号を受信する受信部と、
前記複数のレーン各々について前記受信部によって受信されたレーン信号から、ＯＴＵフレームのオーバヘッドに含まれるデータを抽出する抽出部と、
前記抽出部によって抽出されたデータに関する情報を、前記抽出部によってデータが抽出されたレーン信号を伝送するレーンの通信状態を示す情報として出力する出力部と、を有し、
前記送信装置は、
ＯＴＵフレームのオーバヘッドに、ＯＴＵフレームを伝送するためのレーンの通信状態に関するデータを書き込む書込部と、
前記書込部によってデータが書き込まれたＯＴＵフレームを複数のレーン信号に分配する分配部と、
前記分配部によって分配されたレーン信号を、前記複数のレーン各々を介して前記通信装置へ送信する送信部と、を有し、
前記書込部は、レーンの通信状態が異常であることを示す情報が前記出力部によって出力された場合に、ＯＴＵフレームのオーバヘッドに書き込まれるデータのうち、通信状態が異常であると示されたレーンを介して伝送されるレーン信号に含まれるデータの書き込みを停止する、光伝送装置。
【請求項２】
受信装置と、前記受信装置に光通信回線を介して接続されてＯＴＵフレームを複数のレーン信号に分配する送信装置と、を備える光伝送システムであって、
前記受信装置は、
前記送信装置から複数のレーン各々を介して伝送されるレーン信号を受信する受信部と、
前記複数のレーン各々について前記受信部によって受信されたレーン信号から、ＯＴＵフレームのオーバヘッドに含まれるデータを抽出する抽出部と、
前記抽出部によって抽出されたデータに関する情報を、前記抽出部によってデータが抽出されたレーン信号を伝送するレーンの通信状態を示す情報として出力する出力部と、
レーンの通信状態が異常であることを示す情報が前記出力部によって出力された場合に、通信状態が異常であると示されたレーンを前記送信装置に通知する通知部と、を有し、
前記送信装置は、
ＯＴＵフレームのオーバヘッドに、ＯＴＵフレームを伝送するためのレーンの通信状態に関するデータを書き込む書込部と、
前記書込部によってデータが書き込まれたＯＴＵフレームを複数のレーン信号に分配する分配部と、
前記分配部によって分配されたレーン信号を、前記複数のレーン各々を介して前記受信装置へ送信する送信部と、を有し、
前記書込部は、ＯＴＵフレームのオーバヘッドに書き込まれるデータのうち、前記通知部によって通知されたレーンを介して伝送されるレーン信号に含まれるデータの書き込みを停止する、光伝送システム。
【請求項３】
通信装置と双方向の通信をする光伝送装置を構成する送信装置によって実行される通信方法であって、
ＯＴＵフレームのオーバヘッドに、ＯＴＵフレームを伝送するためのレーンの通信状態に関するデータを書き込む書込ステップと、
前記書込ステップにおいてデータが書き込まれたＯＴＵフレームを複数のレーン信号に分配する分配ステップと、
前記分配ステップにおいて分配されたレーン信号を、複数のレーン各々を介して前記通信装置へ送信する送信ステップと、
レーンの通信状態が異常であることを示す情報が前記光伝送装置を構成する受信装置から出力された場合に、ＯＴＵフレームのオーバヘッドに書き込まれるデータのうち、通信状態が異常であると示されたレーンを介して伝送されるレーン信号に含まれるデータの書き込みを停止する停止ステップと、
を含む通信方法。
【請求項４】
受信装置に光通信回線を介して接続される送信装置によって実行される通信方法であって、
ＯＴＵフレームのオーバヘッドに、ＯＴＵフレームを伝送するためのレーンの通信状態に関するデータを書き込む書込ステップと、
前記書込ステップにおいてデータが書き込まれたＯＴＵフレームを複数のレーン信号に分配する分配ステップと、
前記分配ステップにおいて分配されたレーン信号を、複数のレーン各々を介して前記受信装置へ送信する送信ステップと、
ＯＴＵフレームのオーバヘッドに書き込まれるデータのうち、前記受信装置から通信状態が異常であることが通知されたレーンを介して伝送されるレーン信号に含まれるデータの書き込みを停止する停止ステップと、
を含む通信方法。
【発明の詳細な説明】
【技術分野】
【０００１】
本発明は、光伝送装置、光伝送システム及び通信方法に関する。
【背景技術】
【０００２】
近年、大容量のデータを短時間で伝送する光伝送システムが実用化されている。この種の光伝送システムにおいては、光強度だけではなく位相情報等も用いて信号が変調される。このため、複雑な光変復調回路及び高速に動作する電気回路等の信号処理デバイスが必要となる。しかしながら、１００Ｇｂｉｔ／ｓを超える速度で通信するための光伝送システムでは、このような信号処理デバイスにかかるコストが大きく、信号処理デバイスを実装すること自体も困難であることがある。【０００３】
そこで、高速通信が要求されるコアネットワークでは、データが複数のレーンに分割され、分割されたデータを搬送するサブキャリア又は偏波等が多重化されることが多い。データが複数のレーンに分割される場合には、分割されたデータを処理する信号処理デバイスの動作速度を抑えることができる（例えば、非特許文献１を参照）。【０００４】
例えば、１００Ｇｂｉｔ／ｓの速度で通信する光トランスポンダには、非特許文献１に規定されるＯＴＵ（Optical channel Transport Unit）フォーマットに従うデータを複数のレーンに配分して送信するものがある。また、この光トランスポンダは、複数のチャネル（レーン）を介して信号を受信し、チャネル間の同期及びデスキューを実行することにより原信号を復元する。これにより、マルチレーンのデータを転送する機能が光トランスポンダに実装されて、光トランスポンダは、データの高速な転送を実現することができる。
【先行技術文献】
【非特許文献】
【０００５】
【非特許文献１】ＩＴＵ−Ｔ  Ｒｅｃｏｍｍｅｎｄａｔｉｏｎ  Ｇ．７０９
【発明の概要】
【発明が解決しようとする課題】
【０００６】
ＯＴＵフォーマットに従うデータには、ペイロードの他に、伝送路の状態を監視したり、この監視の結果に基づいて通信を制御したりするための監視制御データが含まれる。ここで、ＯＴＵフォーマットに従うデータが複数のレーンに配分されると、この監視制御データも配分されてしまう。その結果、複数のレーンのうち１つのレーンのみで通信障害が生じた場合であっても、複数のレーンを介して伝送された監視制御データは不完全なものとなってしまい、伝送路の状態の監視等が困難となる。しかしながら、このような場合であっても伝送路の状態の監視等が可能であることが望ましい。ひいては、複数のレーンを介する光通信の耐障害性に向上の余地があった。【０００７】
本発明は、上記の事情に鑑みてなされたもので、複数のレーンを介する光通信の耐障害性を向上させることを目的とする。
【課題を解決するための手段】
【０００８】
上記目的を達成するため、本発明の光伝送装置は、ＯＴＵフレームを複数のレーン信号に分配する通信装置と双方向の通信をするための受信装置と送信装置とを備える光伝送装置であって、受信装置は、通信装置から複数のレーン各々を介して伝送されるレーン信号を受信する受信部と、複数のレーン各々について受信部によって受信されたレーン信号から、ＯＴＵフレームのオーバヘッドに含まれるデータを抽出する抽出部と、抽出部によって抽出されたデータに関する情報を、抽出部によってデータが抽出されたレーン信号を伝送するレーンの通信状態を示す情報として出力する出力部と、を有し、送信装置は、ＯＴＵフレームのオーバヘッドに、ＯＴＵフレームを伝送するためのレーンの通信状態に関するデータを書き込む書込部と、書込部によってデータが書き込まれたＯＴＵフレームを複数のレーン信号に分配する分配部と、分配部によって分配されたレーン信号を、複数のレーン各々を介して通信装置へ送信する送信部と、を有し、書込部は、レーンの通信状態が異常であることを示す情報が出力部によって出力された場合に、ＯＴＵフレームのオーバヘッドに書き込まれるデータのうち、通信状態が異常であると示されたレーンを介して伝送されるレーン信号に含まれるデータの書き込みを停止する。
【発明の効果】
【０００９】
本発明によれば、受信装置は、複数のレーン各々の通信状態を示す情報を出力する。これにより、複数のレーンのいずれかに通信障害が発生した場合であっても、レーン各々の通信状態を監視することが可能となる。ひいては、複数のレーンを介する光通信の耐障害性を向上させることができる。
【図面の簡単な説明】
【００１０】
【図１】光伝送システムの構成を示す図である。
【図２】ＯＴＵフレームの構成を示す図である。
【図３】レーンに通信障害が生じた場合における信号について説明するための図である。
【図４】レーン信号に含まれるマルチフレーム番号について説明するための図である。
【図５】海底ケーブルを介した光通信ネットワークを示す図である。
【図６】メディアコンバータシステムを示す図である。
【発明を実施するための形態】
【００１１】
以下、本発明の実施の形態を、図面を参照しつつ詳細に説明する。
【００１２】
図１には、本実施の形態に係る光伝送システム１００の構成が示されている。光伝送システム１００は、光通信回線を介して互いに接続される光伝送装置１０及び対向装置５０を有している。光通信回線は、例えば、コアネットワークを構成する光ファイバである。また、本実施の形態に係る光通信回線は、多重化されるサブキャリア各々に対応するレーンＬ１、Ｌ２から構成される。レーンＬ１、Ｌ２各々は、レーン信号（光信号）を伝送する。レーン信号は、例えば、ＯＴＬ４．２（Optical channel Transport Lane 4.2）信号である。
【００１３】
光伝送装置１０は、対向装置５０からレーン信号を受信する受信装置２０、及び対向装置５０へレーン信号を送信する送信装置３０を有している。光伝送装置１０は、受信装置２０及び送信装置３０を有することで、対向装置５０と双方向に通信する。
【００１４】
受信装置２０は、対向装置５０から受信したレーン信号からクライアント信号を生成して、クライアントへ送信する。クライアント信号は、例えば、１００ＧｂＥのデジタル信号である。また、クライアントは、例えば、無線基地局又は通信事業者によって運営されるＯＬＴ（Optical Line Terminal）である。受信装置２０は、レーン信号を受信する受信ユニット２１、複数のレーン信号により搬送されるＯＴＵフレームの終端処理を実行する終端処理装置２２、及び、ＯＴＵフレームを搬送するＯＴＵ信号からクライアント信号を生成するＯＴＮ−ＬＳＩ２３を有している。
【００１５】
受信ユニット２１は、複数のレーンＬ１、Ｌ２各々を介して伝送されるレーン信号を受信する。受信ユニット２１は、レーンＬ１、Ｌ２各々のレーン信号に対するデジタル信号処理を実行するＤＳＰ−ＬＳＩ（Digital Signal Processing-Large Scale Integration）２１ａ、２１ｂを有している。受信ユニット２１は、受信したレーン信号を終端処理装置２２に転送する。
【００１６】
終端処理装置２２は、対向装置５０によって１つのＯＴＵ信号から分配されていた２つのレーン信号から、１つのＯＴＵ信号を復元する。すなわち、終端処理装置２２は、サブキャリアによって搬送された２つのレーン信号から、ＯＴＵフレームを復元する。
【００１７】
終端処理装置２２は、光通信のフォーマットに従うレーン信号を受信するためのＳＦＩ−ＲＸ（SerDes Framer Interface Receiver）２２１ａ、２２１ｂ、レーン信号からデータを抽出する抽出ユニット２２２、レーンＬ１、Ｌ２の通信状態を示す情報を出力する出力部２２３、デスキューを行うデスキュー部２２４、及び、光通信のフォーマットに従うＯＴＵ信号を伝送するためのＳＦＩ−ＴＸ（Transmitter）２２５を有している。
【００１８】
抽出ユニット２２２は、複数のレーンＬ１、Ｌ２各々について受信ユニット２１によって受信されたレーン信号を、ＳＦＩ−ＲＸ２２１ａ、２２１ｂを介して受信する。また、抽出ユニット２２２は、受信したレーン信号各々から、ＯＴＵフレームのオーバヘッドのＧＣＣ（General Communication Channel）領域に含まれるデータを抽出する。
【００１９】
図２には、ＯＴＵフレームの構成が示されている。図２に示されるように、ＯＴＵフレームは、ペイロードに付加されるオーバヘッド、ユーザデータが格納される領域であるペイロード、及び、伝送される際に生じたビット誤りを訂正するためのＦＥＣ（Forward Error Correction）パリティ領域から構成される。
【００２０】
また、図２において二重枠で強調されるように、オーバヘッドには、ユーザが自由に使用可能なＧＣＣ領域及びＲＥＳ（Reserve）領域が含まれる。ＧＣＣ領域は、具体的には、図２中「ＧＣＣ０」、「ＧＣＣ１」及び「ＧＣＣ２」と示されている領域である。ＲＥＳ領域は、図２中「ＲＥＳ」と示されている５つの領域である。ＧＣＣ領域及びＲＥＳ領域は、通常、マネジメントプレーンにおいてＯＡＭ（Operation Administration and Maintenance）情報等を転送するために用いられる。なお、本実施の形態ではＧＣＣ領域のデータが抽出されるが、これに代えてＲＥＳ領域のデータが抽出されてもよい。
【００２１】
図１に戻り、抽出ユニット２２２は、ＯＴＵフレームを同期するためのフレーム同期部２２２ａ、２２２ｂ、レーン信号からＧＣＣ領域のデータを抽出するＧＣＣ抽出部２２２ｃ、２２２ｄを有している。
【００２２】
フレーム同期部２２２ａ、２２２ｂ各々は、レーン信号に含まれるフレーム同期パタン（ＦＡＳ：Frame Alignment Signal）を用いて、レーンＬ１、Ｌ２各々を介して伝送されたレーン信号を同期する。より詳しくは、フレーム同期部２２２ａ、２２２ｂ各々は、マルチフレーム番号（ＭＦＡＳ：MultiFrame Alignment Signal）に基づいてＯＴＵフレームのオーバヘッドを識別する。そして、フレーム同期部２２２ａ、２２２ｂ各々は、レーン信号を個別に同期することでＯＴＵフレームを同期する。フレーム同期部２２２ａ、２２２ｂ各々は、識別したオーバヘッドのマルチフレーム番号を出力部２２３へ順次送出し、同期されたレーン信号をＧＣＣ抽出部２２２ｃ、２２２ｄ各々へ送信する。
【００２３】
ＧＣＣ抽出部２２２ｃ、２２２ｄは、例えばＬＳＩの機能として実装される。ＧＣＣ抽出部２２２ｃは、レーンＬ１を介して伝送されたレーン信号から、ＧＣＣ領域のデータを順次抽出して、出力部２２３へ送出する。ＧＣＣ抽出部２２２ｄは、レーンＬ２を介して伝送されたレーン信号から、ＧＣＣ領域のデータを順次抽出して、出力部２２３へ送出する。また、ＧＣＣ抽出部２２２ｃ、２２２ｄは、レーン信号をデスキュー部２２４へ転送する。
【００２４】
出力部２２３は、例えばＬＳＩの機能として実装される。出力部２２３は、フレーム同期部２２２ａ、２２２ｂ各々から送出されたマルチフレーム番号、及びＧＣＣ抽出部２２２ｃ、２２２ｄ各々から送出されたデータを取得して、レーン毎に集約する。例えば、出力部２２３は、ＧＣＣ抽出部２２２ｃから順次送出された複数のデータを、ＧＣＣ抽出部２２２ｃによって最も頻繁に抽出された代表的な一のデータに集約する。そして、出力部２２３は、この一のデータを、レーンＬ１の通信状態が正常であることを示す情報として、送信装置３０の書込部３２に出力する。
【００２５】
なお、出力部２２３は、フレーム同期部２２２ａから送出されたマルチフレーム番号が一定以上の割合で欠落している場合、又はＧＣＣ抽出部２２２ｃからのデータの送出の頻度が一定値以下である場合に、レーンＬ１の通信状態が異常であることを示す情報を、書込部３２に出力してもよい。
【００２６】
また、出力部２２３は、フレーム同期部２２２ｂ及びＧＣＣ抽出部２２２ｄから送出されるデータについても、レーンＬ２の通信状態を示す情報を書込部３２に出力する。
【００２７】
レーンＬ１、Ｌ２各々の正常な通信状態は、一定以上の通信速度が保たれていて、ビット誤り率が一定値以下である状態を意味する。また、レーンＬ１、Ｌ２各々の異常な通信状態は、通信が途絶した状態の他に、通信速度が極端に低下した状態、及び、ビット誤り率が極端に高くなった状態を含む。また、例えば、レーンＬ２の光信号を生成するための半導体レーザのみが劣化した場合、又はこの半導体レーザの温度のみが適切に管理されていないために光信号の波長の誤差が大きくなった場合等には、レーンＬ２のみが異常な通信状態になると考えられる。
【００２８】
デスキュー部２２４は、２つのレーン信号から１つのＯＴＵ信号を復元して、ＳＦＩ−ＴＸ２２５を介してＯＴＮ−ＬＳＩ２３へ転送する。
【００２９】
ＯＴＮ−ＬＳＩ２３は、ＧＣＣ抽出部２３ａを有している。ＧＣＣ抽出部２３ａは、ＧＣＣ抽出部２２２ｃ、２２２ｄと同様に、ＯＴＵフレームのオーバヘッドのＧＣＣ領域に含まれるデータを抽出する。ただし、ＧＣＣ抽出部２３ａは、レーン信号からではなく、復元されたＯＴＵ信号からデータを抽出する。
【００３０】
送信装置３０は、クライアント信号から２つのレーン信号を生成して、レーンＬ１、Ｌ２を介して対向装置５０へ送信する。送信装置３０は、クライアント信号からＯＴＵフレームを生成する生成部３１、ＯＴＵフレームのオーバヘッドにデータを書き込む書込部３２、ＯＴＵフレームを２つのレーン信号に分配する分配部３３、及び、レーン信号を対向装置５０へ送信する送信部３４を有している。
【００３１】
書込部３２は、出力部２２３から出力された情報に基づいて、レーンＬ１、Ｌ２の通信状態を判別するためのデータを、生成部３１によって生成されたＯＴＵフレームのオーバヘッドのＧＣＣ領域に書き込む。なお、本実施の形態に係る書込部３２は、原則として、すべてのビット値がゼロに固定されたデータを書き込む。
【００３２】
分配部３３は、書込部３２によってデータが書き込まれたＯＴＵフレームを複数のレーン信号に分配する。分配部３３は、例えば、ＩＴＵ−Ｔ勧告Ｇ．７０９に規定されているように、ＯＴＵフレームを構成する１６バイトのブロック毎にラウンドロビンで分配する。ただし、本実施の形態に係る分配部３３は、ＯＴＵフレームを２つのレーン信号に分配するため、ＯＴＵフレームを構成する１６バイトのブロックを、レーンＬ１とレーンＬ２とに交互に割り当てる。レーンＬ１、Ｌ２の一方には、奇数のマルチフレーム番号が割り当てられ、他方には偶数のマルチフレーム番号が割り当てられることとなる。
【００３３】
送信部３４は、分配部３３によって分配されたレーン信号各々を、レーンＬ１、Ｌ２各々を介して対向装置５０へ送信する。
【００３４】
対向装置５０は、光伝送装置１０と同様に構成される通信装置である。すなわち、対向装置５０は、受信装置２０と同様に構成される受信機、及び、送信装置３０と同様に構成される送信機を有している。
【００３５】
対向装置５０の受信機は、送信装置３０から送信されたレーン信号を、レーンＬ１、Ｌ２を介して受信する。また、対向装置５０の受信機は、書込部３２によって書き込まれたデータをレーン信号から抽出する。本実施の形態では、書込部３２によって固定のデータが書き込まれたため、対向装置５０の受信機は、レーンＬ１、Ｌ２のいずれについても同一のデータを抽出することになる。ただし、書込部３２は、対向装置５０の受信機によってレーンＬ１、Ｌ２各々に応じたデータが抽出されるようにデータを書き込んでもよい。
【００３６】
対向装置５０の送信機は、レーンＬ１、Ｌ２を介して受信装置２０へレーン信号を送信する。また、対向装置５０の送信機によってＯＴＵフレームのオーバヘッドに書き込まれたデータは、抽出ユニット２２２によって抽出されることとなる。
【００３７】
続いて、レーンＬ１、Ｌ２の通信状態がいずれも正常な状態から、レーンＬ２の通信状態のみが異常な状態に変化した場合における光伝送システム１００の動作例について、図３、４を用いて説明する。
【００３８】
図３には、レーンＬ２に通信障害が発生した場合における模式的な例として、ＯＴＵ信号６０及びレーン信号７１、７２が示されている。
【００３９】
図３に示されるように、ＯＴＵ信号６０は、ＯＴＵフレーム６１、６２、６３、６４等を搬送する。ＯＴＵフレーム６１、６２、６３、６４各々には、ＧＣＣ領域６１ｇ、６２ｇ、６３ｇ、６４ｇが含まれている。なお、ＯＴＵ信号６０は、例えば約１００Ｇｂｉｔ／ｓのＯＴＵ４信号である。
【００４０】
これらＯＴＵフレーム６１〜６４がラウンドロビンで分配されると、ＯＴＵフレーム６１はデータ６１ａ、６１ｂに分割され、ＯＴＵフレーム６２はデータ６２ａ、６２ｂに分割され、ＯＴＵフレーム６３はデータ６３ａ、６３ｂに分割され、ＯＴＵフレーム６４はデータ６４ａ、６４ｂに分割される。
【００４１】
次に、ＯＴＵ信号６０が２つのレーンＬ１、Ｌ２を介して伝送されると、データ６１ａ、６２ａ、６３ａ、６４ａ等から構成されるレーン信号７１がレーンＬ１を介して伝送され、データ６１ｂ、６２ｂ、６３ｂ、６４ｂ等から構成されるレーン信号７２がレーンＬ２を介して伝送される。これにより、レーン信号７１、７２各々は、ＯＴＵ信号６０よりもシンボルレートが抑えられた状態で伝送される。
【００４２】
ここで、レーンＬ２に伝送障害が発生すると、レーン信号７２が欠落する。レーン信号７２が途絶した状況では、受信装置２０は、レーン信号７１のみを受信する。ここで、受信装置２０がレーン信号７１、７２を１つのＯＴＵ信号６０に結合しようとすると、データ６１ａ、６２ａ、６３ａ、６４ａは正常に復元されるが、データ６１ｂ、６２ｂ、６３ｂ、６４ｂは正常に復元されない（異常）。
【００４３】
このため、受信装置２０は、ＯＴＵ信号６０の再生を試みても、レーン信号７２の欠落によりＯＴＵフレーム６１〜６４を同期することができない。したがって、受信装置２０は、ＯＴＵフレーム６１〜６４を復元することができない。すなわち、レーンＬ１には何ら障害が発生していないにも関わらず、レーン信号７２の欠落によりＯＴＵ信号６０が途絶してしまう。
【００４４】
図４には、レーンＬ１、Ｌ２とも通信状態が正常な場合と、レーンＬ２に通信障害が発生した場合とにおいて、レーン信号に含まれるマルチフレーム番号及び出力部２２３によって取得されるマルチフレーム番号が比較されている。なお、マルチフレーム番号群８１は、レーンＬ１、Ｌ２とも通信状態が正常な場合を示し、マルチフレーム番号群８２は、レーンＬ２に通信障害が発生した場合を示す。
【００４５】
また、図４中、マルチフレーム番号は、「ＭＦ」の後に続く数字によって示されている。すなわち、「ＭＦ０」は、マルチフレーム番号がゼロであることを示し、「ＭＦ１」は、マルチフレーム番号が１であることを示している。偶数のマルチフレーム番号は、レーンＬ１を介して伝送されるレーン信号に含まれる。また、奇数のマルチフレーム番号は、レーンＬ２を介して伝送されるレーン信号に含まれる。
【００４６】
図４に示されるように、レーンＬ１、Ｌ２とも通信状態が正常な場合には、すべてのマルチフレーム番号（０、１、２、・・・）が欠けることなく揃っている。このため、ＯＴＮ−ＬＳＩ２３のＧＣＣ抽出部２３ａは、復元されたＯＴＵフレームからデータを抽出することができる。また、出力部２２３は、レーンＬ１、Ｌ２の通信状態がいずれも正常であることを示す情報を出力する。
【００４７】
一方、レーンＬ２の通信状態が異常となった場合には、奇数のマルチフレーム番号が欠けることとなる。この場合には、ＯＴＵフレームが復元されないため、ＧＣＣ抽出部２３ａは、データを抽出することができない。しかしながら、出力部２２３は、レーンＬ１を介して伝送されたレーン信号に含まれる偶数のマルチフレーム番号を取得することができる。そこで、出力部２２３は、レーンＬ１の通信状態が正常であることを示す情報を出力するとともに、レーンＬ２の通信状態が異常であることを示す情報を出力する。
【００４８】
レーンＬ２の通信状態が異常であることを示す情報が出力部２２３によって出力された場合に、書込部３２は、ＯＴＵフレームのオーバヘッドに書き込まれるデータのうち、レーンＬ２を介して伝送されるレーン信号に含まれるデータの書き込みを停止する。具体的には、書込部３２は、ＯＴＵフレームを構成する１６バイト毎のブロックのうち偶数（奇数）番目のブロックがレーンＬ２を介して伝送されるときに、ＯＴＵフレームのオーバヘッドに書き込まれるデータのうち、この偶数（奇数）番目のブロックへのデータの書き込みを停止する。これにより、無駄なデータが送信されることを防ぐことができる。
【００４９】
また、レーンＬ２の通信状態が異常であることを示す情報が出力部２２３によって出力された場合に、書込部３２は、通信状態が異常となったレーンＬ２を示すデータを書き込む。これにより、書込部３２は、レーンＬ２の通信状態が異常となったことを、レーンＬ１を介して対向装置５０に通知することとなる。
【００５０】
また、レーンＬ２の通信状態が異常となった場合には、対向装置５０が、通信状態が異常となったレーンＬ２を受信装置２０に通知すると考えられる。この場合には、出力部２２３は、抽出ユニット２２２によって抽出されたデータに基づいて、対向装置５０から通知されたレーンＬ２の通信状態が異常となったと判断する。そして、出力部２２３は、特定の情報を出力することにより、書込部３２に、レーンＬ２を介して伝送されるレーン信号に含まれるデータの書き込みを停止させる。これにより、無駄なデータが送信されることを防ぐことができる。
【００５１】
以上、説明したように、本実施の形態に係る出力部２２３は、レーンＬ１、Ｌ２各々の通信状態を示す情報を出力した。これにより、レーンＬ１、Ｌ２のいずれかに通信障害が発生した場合であっても、レーンＬ１、Ｌ２各々の通信状態を監視することが可能となる。ひいては、レーンＬ１、Ｌ２を介する光通信の耐障害性を向上させることができる。
【００５２】
また、書込部３２は、出力部２２３から出力された情報に基づいて、特定のデータをＯＴＵフレームのオーバヘッドに書き込んだ。書込部３２がレーンＬ１、Ｌ２の一方を介して伝送されるレーン信号に含まれるデータを用いることで、レーンＬ１、Ｌ２の他方に通信障害が発生した場合であっても、光伝送装置１０は、対向装置５０との間で制御監視データを用いた通信をすることができる。これにより、少なくとも１つのレーンが導通していれば通信可能となるロバストなインバンドの制御監視チャネルが実現する。
【００５３】
一般的な光通信ネットワークでは、ＨＤＬＣ（High-level Data Link Control）又はユーザ独自のフォーマットに従うデータがＧＣＣ領域に格納されることが多い。１５０Ｇｂｉｔ／ｓ、２００Ｇｂｉｔ／ｓ、４００Ｇｂｉｔ／ｓ等の１００Ｇｂｉｔ／ｓを超える速度で通信するためのネットワークを実現するためには、伝送路上で信号がマルチレーンに分配されたり、通信装置を構成するＬｉｎｅ／Ｃｌｉｅｎｔカードが複数に分けて配設されたりする。このため、ＯＴＵフレームのオーバヘッドに含まれるＧＣＣ領域も分割されて伝送される。このような一般的な光通信ネットワークにおいて本実施の形態に係る光伝送システム１００を適用すれば、耐障害性が向上し、好ましいと考えられる。
【００５４】
また、図５には、海底ケーブルを介した光通信ネットワーク９０が模式的に示されている。この光通信ネットワーク９０において、トランスポンダ９２は、トランスポンダ９１から受信したデータに含まれるＦＥＣ誤りの数を、ＧＣＣ領域（ＲＥＳ領域）に格納して、このＧＣＣ領域を含むデータをトランスポンダ９１に伝送する。すなわち、ＧＣＣ領域は、トランスポンダ９１が自局の送信チャネルの遠隔地における伝送品質（対向性能）を確認するために用いられる。トランスポンダ９１の現地調整が行われる際には、ＦＥＣ誤りの数から求められるＱ値に基づいて最適化が行われる。
【００５５】
しかしながら、サブキャリア単位で主信号の疎通が失われる場合には、他のサブキャリアの状態も不明になり、トランスポンダ９１は、自局の送信チャネルの品質を確認することが困難になると考えられる。なお、図５中の点線の矢印は、途絶した主信号（レーン信号）を示している。
【００５６】
この光通信ネットワーク９０において本実施の形態に係る光伝送システム１００を適用すれば、トランスポンダ９１は、サブキャリア単位で主信号の疎通が失われた場合であっても、自局の送信チャネルの品質を確認することが可能となる。
【００５７】
図６には、一般的なメディアコンバータシステム９５が模式的に示されている。このメディアコンバータシステム９５では、キャリアの装置がメディアコンバータ９７としてエンドユーザ局舎９６に直接配置されている。このようなサービス形態では、アウトオブバンドのＯＡＭチャネルが存在しないため、メディアコンバータ９７の制御及び監視は、インバンドのチャネルに依存して行われることが多い。このようなメディアコンバータシステム９５では、主信号データの途絶時にも、可能な限りメディアコンバータ９７の制御及び監視のための通信が続行可能であることが望まれる。なお、図６中の点線の矢印は、途絶した主信号（レーン信号）を示している。
【００５８】
このメディアコンバータシステム９５において本実施の形態に係る光伝送システム１００を適用すれば、主信号データの途絶時であっても、メディアコンバータ９７の制御及び監視を可能な限り続行することが可能となる。
【００５９】
以上、本発明の実施の形態について説明したが、本発明は上記実施の形態によって限定されるものではない。
【００６０】
例えば、レーンの数は２つに限られず、３つ以上であってもよい。また、上記実施の形態に係るレーンＬ１、Ｌ２はサブキャリアに対応したが、偏波、又は多値位相のＩｃｈ及びＱｃｈに対応してもよい。
【００６１】
本発明は、広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【００６２】
本発明の光伝送装置、光伝送システム及び通信方法は、耐障害性の高い光通信に適している。
【符号の説明】
【００６３】
１００  光伝送システム、  １０  光伝送装置、  ２０  受信装置、  ２１  受信ユニット、  ２１ａ，２１ｂ  ＤＳＰ−ＬＳＩ、  ２２  終端処理装置、  ２２１ａ，２２１ｂ  ＳＦＩ−ＲＸ、  ２２２  抽出ユニット、  ２２２ａ，２２２ｂ  フレーム同期部、  ２２２ｃ，２２２ｄ  ＧＣＣ抽出部、  ２２３  出力部、  ２２４  デスキュー部、  ２２５  ＳＦＩ−ＴＸ、  ２３  ＯＴＮ−ＬＳＩ、  ２３ａ  ＧＣＣ抽出部、  ３０  送信装置、  ３１  生成部、  ３２  書込部、  ３３  分配部、  ３４  送信部、  ５０  対向装置、  ６０  ＯＴＵ信号、  ６１，６２，６３，６４  ＯＴＵフレーム、  ６１ａ，６１ｂ，６２ａ，６２ｂ，６３ａ，６３ｂ，６４ａ，６４ｂ  データ、  ６１ｇ，６２ｇ，６３ｇ，６４ｇ  ＧＣＣ領域、  ７１，７２  レーン信号、  ８１，８２  マルチフレーム番号群、  ９０  光通信ネットワーク、  ９１，９２  トランスポンダ、  ９５  メディアコンバータシステム、  ９６  エンドユーザ局舎、  ９７  メディアコンバータ、  Ｌ１，Ｌ２  レーン。
【図１】
0006033468.tif 000002
【図２】
0006033468.tif 000003
【図３】
0006033468.tif 000004
【図４】
0006033468.tif 000005
【図５】
0006033468.tif 000006
【図６】
0006033468.tif 000007